(57)【要約】【課題】口から落としにくく長時間の使用も苦にならない禁煙用銜え具の提供。【解決手段】禁煙用銜え具１は、利用者の口に銜えられる銜え部２がシリコーンゴムなどのゴム材で構成されており、銜え部２において利用者の歯２６，２７または唇２４，２５で銜えられる部分が上下にくびれて形成されたくびれ部１２となっている。また、銜え部２が吸出口１３を有する筒状に形成され、空気の吸入口４を有する筒状の棒状本体３が銜え部２に連結されるとともに、棒状本体３内に、銜え部２に向かう方向（矢印Ｆ）にのみ空気の流通を許す逆止弁１４が設けられている。【選択図】図２
0003135673.tif 000002
【実用新案登録請求の範囲】
【請求項１】
利用者の口に銜えられる銜え部を備えてなり、少なくとも該銜え部がゴム材で構成されていることを特徴とする禁煙用銜え具。
【請求項２】
ゴム材がシリコーンゴムである請求項１に記載の禁煙用銜え具。
【請求項３】
銜え部において利用者の歯または唇で銜えられる部分が上下にくびれて形成されている請求項１または請求項２に記載の禁煙用銜え具。
【請求項４】
銜え部が吸出口を有する筒状に形成され、空気の吸入口を有する筒状の棒状本体が銜え部に連結されるとともに、棒状本体内に、銜え部に向かう方向にのみ空気の流通を許す逆止弁が設けられている請求項１から請求項３のいずれか一項に記載の禁煙用銜え具。
【考案の詳細な説明】
【技術分野】
【０００１】
本考案は、節煙や禁煙を目的として口に銜えて使用される禁煙用銜え具に関するものである。
【背景技術】
【０００２】
従来、この種の禁煙用銜え具としては、先端に吸入口を有する筒状の棒状本体と、棒状本体の後端部に連結されて末端に吸出口を有する筒状の銜え部とを備えたものが下記の特許文献１に記載されている。これらの棒状本体および銜え部は、いずれも、一定の剛性を有するプラスチックで構成されている。そして、香気剤を含んだ吸着材が棒状本体または銜え部の筒内に収容されている。
【０００３】
【特許文献１】特開昭６０−１９９３７７号公報
【０００４】
【考案の開示】
【考案が解決しようとする課題】
【０００５】
ところで、前記文献記載の禁煙用銜え具は、銜え部がプラスチックで構成されて硬いので、銜え部を歯や唇で銜えていても口から落としやすかった。また、銜え部の硬さが口内で違和感をもたらすため、長時間の使用が苦痛となっていた。そのために、禁煙効果が高まらないという問題もある。
一方で、利用者の嗜好は様々であり、例えばメンソール類やカンキツ類の香りや味が苦手なために、銜えている間に気分が悪くなる人もいる。
【０００６】
本考案は、上記した従来の問題点に鑑みてなされたものであって、口から落としにくく長時間の使用も苦にならない禁煙用銜え具の提供を目的とする。
【課題を解決するための手段】
【０００７】
上記目的を達成するために、本考案に係る禁煙用銜え具は、利用者の口に銜えられる銜え部を備えてなり、少なくとも該銜え部がゴム材で構成されたものとして提供される。
【０００８】
また、前記構成において、ゴム材がシリコーンゴムで構成されたものである。
【０００９】
そして、前記した各構成において、銜え部において利用者の歯または唇で銜えられる部分が上下にくびれて形成されているものである。
【００１０】
更に、前記した各構成において、銜え部が吸出口を有する筒状に形成され、空気の吸入口を有する筒状の棒状本体が銜え部に連結されるとともに、棒状本体内に、銜え部に向かう方向にのみ空気の流通を許す逆止弁が設けられているものである。
【考案の効果】
【００１１】
本考案に係る禁煙用銜え具によれば、利用者の口に銜えられる銜え部がゴム材で構成されているので、銜え部は銜えられたときにタバコのフィルター部のように適度に弾性変形する。従って、銜え部は口内で違和感を生じさせることがなく、唇や歯で確実に銜えることができ、長時間の使用によっても苦にならず口から落ちにくい。これにより、銜えていたいという感触が醸し出され、タバコの喫煙本数を減らせたり、禁煙につなげたりすることができる。また、この禁煙用銜え具は香味材を用いる必要がないために味や香りの発生がなく、長時間銜えていても飽きたり気分が悪くなることがない。
【００１２】
そして、銜え部がシリコーンゴムで構成されているものでは、シリコーンゴム特有の粘り強い弾力性、ヌメリ感のある表面活性を備えているために、よりいっそう心地よく確実に銜えることができる。また、加熱消毒ができることから、常に衛生的に処理して使用することができる。
【００１３】
更に、銜え部に上下にくびれた部分を有するものでは、そのくびれた部分を歯または唇で銜え得るので、禁煙用銜え具を確実に保持できて口からの落下を防止できる。
【００１４】
また、銜え部に向かう方向にのみ空気の流通を許す逆止弁を棒状本体内に備えるものでは、逆止弁が吸入口から空気を流入させて実喫煙時の吸引感を仮想体験させて利用者を満足させるうえ、銜えにより生じた唾液が銜え部内ひいては棒状本体内に逆流することを防止できる。
【考案を実施するための最良の形態】
【００１５】
本考案の最良の実施形態を図面に基づいて説明する。尚、以下に述べる実施形態は本考案を具体化した一例に過ぎず、本考案の技術的範囲を限定するものでない。図１は本考案の一実施形態に係る禁煙用銜え具の外観図、図２は前記禁煙用銜え具の側断面図、図３は前記禁煙用銜え具の平面図、図４は前記禁煙用銜え具の背面図である。
各図において、この実施形態に係る禁煙用銜え具１は、利用者の口に銜えられる銜え部２と、銜え部２の先端に連結される棒状本体３とを備えている。
前記の棒状本体３は例えば軽量で剛性のあるプラスチック（例えばポリエチレン）を材料として、前後貫通する第１空気通路５を有する筒状に形成されている。この棒状本体３において、第１空気通路５の前端部は吸入口４として形成され、第１空気通路５の後端部は逆止弁１４を収容するための収納段部７として形成されている。棒状本体３の後端部の外周面には凸部６が形成されている。
【００１６】
前記の銜え部２はシリコーンゴムを材料として、前後貫通する第２空気通路９を有する筒状に形成されている。銜え部２は、棒状本体３が連結される先端筒部１０と、利用者の口内に入れられる尾部１１と、先端筒部１０と尾部１１の間に形成されるくびれ部１２とから構成されている。前記のくびれ部１２は先端筒部１０および尾部１１に対して上下に狭くなるようにくびれて形成され、通常の使用態様において利用者の上唇２４、下唇２５、および歯２４，２５が当る部分となる。この銜え部２において、尾部１１の背面部２８には第２空気通路９内と外部とを連通する吸出口１３が形成されている。吸出口１３は背面から見て十字形のスリット状に形成されており、通常はシリコーンゴムの弾性力により自閉している。第２空気通路９の前部は棒状本体３の後部を収容して連結するための固定用穴部２９として形成されている。第２空気通路９の前端部の内周面には、装入された棒状本体３の凸部６と係合する凹部８が形成されている。
【００１７】
逆止弁１４は、ケーシング内空間１７および後面開口を有する有底筒状の弁ケーシング１６と、ケーシング内空間１７内に収容される玉弁２２と、ケーシング内空間１７内に収容されて玉弁２２を前向きに弾性付勢するコイルバネ２３と、弁ケーシング１６の後面開口を塞いで玉弁２２およびコイルバネ２３をケーシング内空間１７内に保持する留め座金１９とから構成されている。弁ケーシング１６の底部には、ケーシング内空間１７内と棒状本体３の第１空気通路５内とを連通する弁座開口１５が形成されている。留め座金１９には、ケーシング内空間１７内と銜え部２の第２空気通路９内とを連通する通気孔２１が形成されている。留め座金１９の外周面には、収容段部７の内周面に形成された雌ネジ部２０と螺合する雄ネジ部１８が形成されている。すなわち、この逆止弁１４は、銜え部２に向かう方向（図２中の矢印Ｆ方向）には空気を流通させるが、矢印Ｆの反対方向には空気を流通させないようになっている。
【００１８】
引き続いて、上記のように構成された禁煙用銜え具１の作用を説明する。この禁煙用銜え具１の使用にあたり、利用者は銜え部２の尾部１１およびくびれ部１２を口に銜え、上唇２４，下唇２５、歯２６，２７でくびれ部１２の上面および下面を挟み持つ。その場合、シリコーンゴム製の銜え部２は比較的柔らかい。また、銜え部２の尾部１１およびくびれ部１２の形状は乳幼児用のおしゃぶりに似た形状になっている。また、銜え部２はシリコーンゴム特有の、粘り強い弾力性、ヌメリ感のある表面活性を備えているために、口内で違和感を生じさせずに心地よいうえ、唇や歯で確実に銜えることができ、長時間使用しても口から落ちにくく疲れさせない。これらに起因して、銜えていたくなる感触が醸し出される。その結果、タバコの喫煙本数を減らせるという効果を呈するのである。
【００１９】
そして、シリコーンゴム製の銜え部２は、耐熱性や耐薬品性が高いので加熱消毒ができ、ゴム表面にいわゆる粉ふき現象を生じないことから、口に接する部品として極めて好適である。あるいは、銜え部２および棒状本体３は、香味材を用いていないために味や香りの発生がなく、長時間銜えていても飽きたり気分が悪くなることがない。
【００２０】
一方で、利用者が尾部１１およびくびれ部１２を銜えて吸うと、第２空気通路９内およびケーシング内空間１７内が負圧になり、コイルバネ２３の弾性力に打ち勝って玉弁２２が留め座金１９に向かって移動する。これにより、弁座開口１５が開かれ、吸入口４からの空気が逆止弁１４内を経て第２空気通路９内に入る。更に第２空気通路９内の空気は吸出口１３を押し開いて利用者の口内に吸い出される。このように、逆止弁１４は吸入口４からの空気に実喫煙時と同程度の吸引抵抗を付与して吸出口１３から口内に流出させるので、実喫煙時の吸引感を醸し出して利用者を満足させ、銜えにより生じた唾液が銜え部２内ひいては棒状本体３内に逆流することを防止するのである。
【００２１】
尚、上記の実施形態では、銜え部２の尾部１１の背面部２８に、十字形でスリット状に形成した吸出口１３を例示したが、本考案はそれに限定されるものでない。例えば図５（ａ）に示すように、尾部１１の背面部２８に、背面から見て点状の吸出口１３ａを形成した銜え部２ａも本考案に含まれる。この吸出口１３ａも、第２空気通路９内と外部とを連通して形成されており、通常はシリコーンゴムの弾性力により閉じている。
【００２２】
あるいは、図５（ｂ）に示すように、尾部１１の背面部２８に、背面から見て円形に開口した吸出口１３ｂが形成された銜え部２ｂも本考案に含まれる。この吸出口１３ｂは常時開口して第２空気通路９内と外部とを連通している。尚、このように常時開口している吸出口の開口形状は上記の円形に限らず、楕円、長円、三角などの多角形、その他の形状でも構わない。
【００２３】
そして、上記では、前後に貫通する第１空気通路５を有する棒状本体３と、前後に貫通する第２空気通路９を有する銜え部２，２ａ，２ｂとを備えた禁煙用銜え具を例示したが、本考案はそれらに限らない。すなわち、本考案は、例えば図６に示すように、第１空気通路の無い棒状本体３ａと、第２空気通路の無いシリコーンゴム製の銜え部２ｃとから成る禁煙用銜え具１ａであっても構わない。この禁煙用銜え具１ａでは、例えば、銜え部２ｃの前端部に形成された固定用穴部２９ａに棒状本体３ａの後端部が装入され、固定用穴部２９ａの内周面に形成されている凹部８に、装入された棒状本体３の凸部６が係合して、銜え部２ｃと棒状本体３ａとが連結固定されている。
このような禁煙用銜え具１ａにおいても、棒状本体３ａがタバコの外観と手持感を想起させ、銜え部２ｃがシリコーンゴム製特有の作用、効果を呈する。
【００２４】
また、上記では、棒状本体３，３ａおよび銜え部２，２ａ，２ｂ，２ｃからなる禁煙用銜え具１，１ａを例示したが、棒状本体３，３ａを省略して銜え部２，２ａ，２ｂ，２ｃのみを禁煙用銜え具としても構わない。あるいは、銜え部を構成する材料としては、上記したシリコーンゴム以外のゴム材を用いることも可能である。このようなゴム材としては、銜え部を口から落としにくく長時間銜えていても苦にならないものであれば特に限定されないが、例えばポリウレタンゴム、軟質ポリエチレンゴム、軟質ポリエチレンゴム、ニトリルブタジエンゴム、スチレンブタジエンゴムなどを用いることができる。
【図面の簡単な説明】
【００２５】
【図１】本考案の一実施形態に係る禁煙用銜え具の外観図である。
【図２】前記禁煙用銜え具の側断面図である。
【図３】前記禁煙用銜え具の平面図である。
【図４】前記禁煙用銜え具の背面図である。
【図５】前記禁煙用銜え具の銜え部を示し、（ａ）は銜え部の他の例を示す背面図、（ｂ）は銜え部の更に他の例を示す背面図である。
【図６】本考案の別の実施形態に係る禁煙用銜え具の側面図である。
【符号の説明】
【００２６】
１，１ａ  禁煙用銜え具
２，２ａ，２ｂ，２ｃ  銜え部
３，３ａ  棒状本体
４    吸入口
５    第１空気通路
７    収納段部
９    第２空気通路
１１  尾部
１２  くびれ部
１３，１３ａ，１３ｂ  吸出口
１４  逆止弁
２４  上唇
２５  下唇
２６，２７  歯
Ｆ    矢印
【図１】
0003135673.tif 000003
【図２】
0003135673.tif 000004
【図３】
0003135673.tif 000005
【図４】
0003135673.tif 000006
【図５】
0003135673.tif 000007
【図６】
0003135673.tif 000008
【手続補正書】
【提出日】平成19年7月13日(2007.7.13)
【手続補正１】
【補正対象書類名】実用新案登録請求の範囲
【補正対象項目名】全文
【補正方法】変更
【補正の内容】
【実用新案登録請求の範囲】
【請求項１】
棒状本体の端部にゴム材製の銜え部を連結して成ることを特徴とする禁煙用銜え具。
【請求項２】
棒状本体の端部にシリコーンゴム製の銜え部を連結して成ることを特徴とする禁煙用銜え具。
【請求項３】
銜え部において利用者の歯または唇で銜えられる部分が上下にくびれて形成されている請求項１または請求項２に記載の禁煙用銜え具。
【請求項４】
銜え部が吸出口を有する筒状に形成され、空気の吸入口を有する筒状の棒状本体が銜え部に連結されるとともに、棒状本体内に、銜え部に向かう方向にのみ空気の流通を許す逆止弁が設けられている請求項１から請求項３のいずれか一項に記載の禁煙用銜え具。
【手続補正２】
【補正対象書類名】明細書
【補正対象項目名】０００７
【補正方法】変更
【補正の内容】
【０００７】
上記目的を達成するために、本考案に係る禁煙用銜え具は、棒状本体の端部にゴム材製の銜え部を連結して成るものとして提供される。
【手続補正３】
【補正対象書類名】明細書
【補正対象項目名】０００８
【補正方法】変更
【補正の内容】
【０００８】
また、本考案に係る禁煙用銜え具は、棒状本体の端部にシリコーンゴム製の銜え部を連結して成るものである。
【手続補正４】
【補正対象書類名】明細書
【補正対象項目名】００２４
【補正方法】変更
【補正の内容】
【００２４】
また、銜え部を構成する材料としては、上記したシリコーンゴム以外のゴム材を用いることも可能である。このようなゴム材としては、銜え部を口から落としにくく長時間銜えていても苦にならないものであれば特に限定されないが、例えばポリウレタンゴム、軟質ポリエチレンゴム、ニトリルブタジエンゴム、スチレンブタジエンゴムなどを用いることができる。